(57)【要約】【課題】  起伏の大きな皮膚の部分も十分に吸引することができ、かつ皮下浅在部に骨等のある皮膚も痛みを感じさせることなく吸引することができるようにすることにある。【解決手段】  開口部２ａを皮膚の表面に密着させると共に、内部を負圧に導くことにより、皮膚を吸引するカップ本体２を備えたものであり、カップ本体２の開口側部分を弾性的に変形できるように、ゴム弾性を有する材料で形成すべく構成している。カップ本体２の開口側端部は円形断面形状に形成される。【選択図】  図１
2008022914.tif 000002
【特許請求の範囲】
【請求項１】
開口部を皮膚の表面に密着させると共に、内部を負圧に導くことにより、前記皮膚を吸引するカップ本体を備えた吸引カップであって、
前記カップ本体は、ゴム弾性を有する材料によって形成されていることを特徴とする吸引カップ。
【請求項２】
前記カップ本体は、シリコーン樹脂によって形成されていることを特徴とする請求項１に記載の吸引カップ。
【請求項３】
前記カップ本体内と吸引ホース内とを連通する継手を備えてなり、
前記カップ本体には、前記継手を挿入するための継手挿入孔が形成されており、
前記継手挿入孔には、軸方向の中間位置に、前記カップ本体の外方を向く座面が形成され、
前記継手には、当該継手を前記継手挿入孔に前記カップ本体の外方から挿入した際に、前記座面に当接する鍔部が形成されていることを特徴とする請求項1または２に記載の吸引カップ。
【請求項４】
前記継手挿入孔には、前記座面に対して内方の位置に、内方に向かうに従って漸次縮径するテーパ孔部が形成され、
前記継手には、前記継手挿入孔における前記テーパ孔部に対応する位置に、当該テーパ孔部に嵌合するテーパ状の外周面を有するテーパ管部が形成されていることを特徴とする請求項１から３のうちいずれか一項に記載の吸引カップ。
【請求項５】
前記カップ本体は、前記開口部から漸次内側に湾曲するアーチ状の曲面壁を有するように形成されていると共に、肉厚が頂部側から前記開口部に向かって漸次薄くなるように形成されていることを特徴とする請求項１から４のうちいずれか一項に記載の吸引カップ。
【請求項６】
前記カップ本体には、当該カップ本体に沿って、前記頂部側の所定の位置から前記開口部に至るように延在する複数の補強リブが形成されていることを特徴とする請求項１から５のうちいずれか一項に記載の吸引カップ。
【請求項７】
前記補強リブは、少なくともカップ本体の厚さ方向の寸法が前記開口部に向かって漸次大きくなるように形成されていることを特徴とする請求項６に記載の吸引カップ。
【請求項８】
前記開口部は、断面がまるく膨出するように形成されていることを特徴とする請求項１から７のうちいずれか一項に記載の吸引カップ。
【請求項９】
前記カップ本体内には、当該カップ本体から前記開口部の中心部に向かって突出する突起部が設けられていることを特徴とする請求項１から８のうちいずれか一項に記載の吸引カップ。
【請求項１０】
前記継手は、その先端部が前記カップ本体の内方に突出すべく形成され、
前記突起部は、前記継手における前記カップ本体の内方に突出する先端部に嵌合して当該突起部を前記カップ本体に取り付けるための連結孔を有していると共に、当該突起部における前記皮膚の当たる部分より前記カップ本体の内方の外周面に開口し、前記連結孔に連通する吸引孔を有していることを特徴とする請求項９に記載の吸引カップ。
【請求項１１】
前記突起部は、カップ本体と一体的に形成されていると共に、当該突起部における前記皮膚の当たる部分より前記カップ本体の内方の外周面に開口し、前記継手挿入孔に連通する吸引孔を有していることを特徴とする請求項１０に記載の吸引カップ。
【発明の詳細な説明】
【技術分野】
【０００１】
本発明は、皮膚を部分的に吸引することによって、血行の促進、心身の緊張の緩和等による健康増進を図る吸引カップに関する。
【背景技術】
【０００２】
この種の吸引カップとしては、ガラス等の剛性の大きな材料で形成されたカップ本体を有し、当該カップ本体の開口部を皮膚の表面に接触させると共に、当該カップ本体内を負圧に導くことによって、皮膚を部分的に吸引するように構成したものが知られている（例えば、特許文献1参照）。
【０００３】
【特許文献１】特開２００２−３４５９１０号広報
【発明の開示】
【発明が解決しようとする課題】
【０００４】
ところが、前記従来の吸引カップにおいては、カップ本体がガラス等の剛性の高い硬質のもので構成されているので、アキレス腱を有する部分や、皮下浅在部に骨がある部分等のように起伏が大きく変化するような皮膚の表面に対してはカップ本体の開口部を十分に密着させることができず、当該カップ本体内を大気圧より十分低い負圧状態に導くことができないという問題があった。また仮に、カップ本体内の圧力を十分に下げることができたとしても、カップ本体の開口部が皮膚を介して腱や骨に当たるため、大きな痛みを感じるという問題がある。
【０００５】
本発明は、上記事情に鑑みてなされたものであり、起伏の大きな皮膚の部分に対しても十分に吸引することができ、かつ皮下浅在部に骨や腱等がある場合でも痛みを感じることのない吸引カップを提供することを目的としている。
【課題を解決するための手段】
【０００６】
上記目的を達成するために、請求項１に係る発明は、開口部を皮膚の表面に密着させると共に、内部を負圧に導くことにより、前記皮膚を吸引するカップ本体を備えた吸引カップであって、前記カップ本体は、ゴム弾性を有する材料によって形成されていることを特徴としている。
【０００７】
請求項２に係る発明は、請求項１に係る発明において、前記カップ本体は、シリコーン樹脂によって形成されていることを特徴としている。
【０００８】
請求項３に係る発明は、請求項１または２に係る発明において、前記カップ本体内と吸引ホース内とを連通する継手を備えてなり、前記カップ本体には、前記継手を挿入するための継手挿入孔が形成されており、前記継手挿入孔には、軸方向の中間位置に、前記カップ本体の外方を向く座面が形成され、前記継手には、当該継手を前記継手挿入孔に前記カップ本体の外方から挿入した際に、前記座面に当接する鍔部が形成されていることを特徴としている。
【０００９】
請求項４に係る発明は、請求項１から３のうちいずれか一項に係る発明において、前記継手挿入孔には、前記座面に対して内方の位置に、内方に向かうに従って漸次縮径するテーパ孔部が形成され、前記継手には、前記継手挿入孔における前記テーパ孔部に対応する位置に、当該テーパ孔部に嵌合するテーパ状の外周面を有するテーパ管部が形成されていることを特徴としている。
【００１０】
請求項５に係る発明は、請求項１から４のうちいずれか一項に係る発明において、前記カップ本体は、前記開口部から漸次内側に湾曲するアーチ状の曲面壁を有するように形成されていると共に、肉厚が頂部側から前記開口部に向かって漸次薄くなるように形成されていることを特徴としている。
【００１１】
請求項６に係る発明は、請求項１から５のうちいずれか一項に係る発明において、前記カップ本体には、当該カップ本体に沿って、前記頂部側の所定の位置から前記開口部に至るように延在する複数の補強リブが形成されていることを特徴としている。
【００１２】
請求項７に係る発明は、請求項６に係る発明において、前記補強リブは、少なくともカップ本体の厚さ方向の寸法が前記開口部に向かって漸次大きくなるように形成されていることを特徴としている。
【００１３】
請求項８に係る発明は、請求項１から７のうちいずれか一項に係る発明において、前記開口部は、断面がまるく膨出するように形成されていることを特徴としている。
【００１４】
請求項９に係る発明は、請求項１から８のうちいずれか一項に係る発明において、前記カップ本体内には、当該カップ本体から前記開口部の中心部に向かって突出する突起部が設けられていることを特徴としている。
【００１５】
請求項１０に係る発明は、請求項９に係る発明において、前記継手は、その先端部が前記カップ本体の内方に突出すべく形成され、前記突起部は、前記継手における前記カップ本体の内方に突出する先端部に嵌合して当該突起部を前記カップ本体に取り付けるための連結孔を有していると共に、当該突起部における前記皮膚の当たる部分より前記カップ本体の内方の外周面に開口し、前記連結孔に連通する吸引孔を有していることを特徴としている。
【００１６】
請求項１１に係る発明は、請求項９に係る発明において、前記突起部は、カップ本体と一体的に形成されていると共に、当該突起部における前記皮膚の当たる部分より前記カップ本体の内方の外周面に開口し、前記継手挿入孔に連通する吸引孔を有していることを特徴としている。
【発明の効果】
【００１７】
請求項１〜１１に係る発明によれば、皮膚の表面に密着する開口部を有するカップ本体がゴム弾性を有する材料で形成されているので、当該カップ本体の開口部が皮膚の表面に沿うように容易に変形することができる。即ち、表面が大きく起伏するような皮膚の部分に対しても、当該皮膚の表面に沿うように、カップ本体の開口部を容易に弾性変形させることができる。従って、起伏の大きな皮膚の部分にもカップ本体の開口部を密着させることができるので、カップ本体内を大気圧に対して十分低い負圧状態に導くことができ、当該皮膚を十分に吸引することができる。しかも、開口部が皮膚に沿うように弾性的に変形することになるので、アキレス腱や肘等のある皮膚の部分を吸引する場合でも、痛みを感じることがないという有利な効果がある。
【００１８】
請求項２に係る発明によれば、カップ本体がシリコーン樹脂によって構成されているので、当該カップ本体を皮膚に直接当てても冷たく感じることがほとんどない。従って、カップ本体を保温する装置や手間を省くことができるという利点がある。しかも、シリコーン樹脂は人体に対して極めて安定した材料であるので、極めて安全に皮膚の吸引による施術を行うことができる。
【００１９】
請求項３に係る発明によれば、継手挿入孔に外側から継手を挿入すると、継手の鍔部が座面に当接することにより、当該継手が継手挿入孔における軸方向の所定の位置に停止することになる。一方、カップ本体がゴム弾性を有する材料で形成されていることから、継手挿入孔の径を継手の外周面の径より小さく設定しても（即ち締まり嵌めの嵌合精度に設定しても）、継手を継手挿入孔に挿入することができる。そして、この場合には、継手を継手挿入孔に挿入するだけで、継手が継手挿入孔から脱落するのを防止することができる。しかも、カップ本体内を負圧に導いた場合には継手がカップ本体の内方に若干移動し、継手の鍔部が座面に強く密着することになるので、継手挿入孔と継手との間からカップ本体内に空気が流入するのを確実に防止することができる。
【００２０】
請求項４に係る発明によれば、継手挿入孔には座面より内方位置に、内方に向かうに従って漸次縮径するテーパ孔部が形成され、継手には継手挿入孔におけるテーパ孔部に対応する位置に、当該テーパ孔部に嵌合するテーパ状の外周面を有するテーパ管部が形成されているので、カップ本体内の圧力の低下により、継手が継手挿入孔の内方に少しでも移動すると、テーパ面同士の楔の作用により、テーパ孔部とテーパ管部とがより強力に圧接し合うことになる。従って、継手挿入孔と継手との間からカップ本体内に空気が流入するのを更に強力に阻止することができる。
【００２１】
請求項５に係る発明によれば、カップ本体が円形状の開口部から漸次内側に湾曲する曲面壁によってアーチ状に形成されており、外圧に対して極めて強い構造になっているので、カップ本体内が負圧に導かれることによって、大気圧が外方から大きく作用する場合でも、当該カップ本体が押し潰されるのを防止することができる。また、カップ本体の肉厚が開口部に向かって漸次薄く形成されているので、当該カップ本体の開口部が皮膚の形状の通りにより変形しやすくなる。従って、より大きな起伏の皮膚の部分に対してもカップ本体の開口部を密着させることができると共に、より効果的に骨等を有する部分の皮膚の痛みを防止することができるという利点がある。
【００２２】
請求項６に係る発明によれば、カップ本体に沿って、その頂部側の所定の位置から開口部に至るように延在する複数の補強リブが形成されているので、大気圧に対するカップ本体の強度の向上を図ることができる。特に、カップ本体における開口部に沿う部分の肉厚を薄く構成している場合に、その薄肉部の強度を向上する上で意義がある。また、皮膚側から開口部を介してカップ本体に作用する力は補強リブを長手方向に圧縮する方向の力として作用することになるが、この補強リブはカップ本体の曲面に沿って湾曲しているので、当該補強リブは上記圧縮方向の力によって容易に座屈することになる。従って、補強リブがカップ本体の開口部を皮膚の表面に密着させる際の抵抗となることがほとんどない。
【００２３】
請求項７に係る発明によれば、補強リブにおける少なくともカップ本体の厚さ方向の寸法が前記開口部に向かって漸次大きくなるように形成されているので、カップ本体における開口部側の強度の向上を図ることができる。特に、カップ本体の肉厚を開口部に向けて漸次薄く構成している場合に、その薄肉部の強度を向上する上で意義がある。また、このような構造の補強リブであっても、上述したように圧縮方向の力に対しては容易に座屈することになるので、皮膚に対する開口部の密着性が低下するおそれはほとんどない。
【００２４】
請求項８に係る発明によれば、開口部の断面がまるく膨出するように形成されているので、開口部が皮膚に当たる感触がやわらかくなると共に、開口部が皮膚に当接する面積が大きくなる。従って、開口部から皮膚に、より低圧で穏やかな力を作用させることができる。
【００２５】
請求項９に係る発明によれば、カップ本体から開口部の中心部に向かって突出する突起部が設けられているので、カップ本体を皮膚の所定の位置に取り付ける際に、突起部の先端部を体のつぼの位置に容易に合わせることができる。そして、カップ本体内を負圧に導いた場合には、カップ本体が皮膚側に弾性変形し、突起部の先端部が皮膚内に押し込まれることになるので、つぼを効果的に刺激することができ、極めて高い指圧効果を得ることができる。この場合、突起部としては、皮膚の表面の起伏に応じて、その先端がカップ本体の開口部を平面状に覆う仮想面に対して内側の位置、あるいは当該仮想面とほぼ同一の位置、あるいは当該仮想面から突出する位置となるようなもので構成することが可能である。なお、突起部の先端が上記仮想面から突出する場合でも、カップ本体や皮膚が弾性変形することにより、カップ本体の開口部を皮膚に密着させることができる。
【００２６】
請求項１０に係る発明によれば、突起部が当該突起部に形成された連結孔を継手の先端部に嵌合させることにより、継手を介してカップ本体に取り付けられるようになっているので、突起部をカップ本体と別体のものとして生産することができると共に、カップ本体に容易に着脱することができる。また、突起部がカップ本体と別体であることから、指圧に適した硬さの材料で構成することができるという利点がある。また、突起部における皮膚の当たる部分よりカップ本体の内方に位置する外周面に吸引孔が開口しているので、突起部の先端部が皮膚に密着している場合でも、カップ本体内の圧力を十分に下げることができる。
【００２７】
請求項１１に係る発明によれば、突起部がカップ本体と一体的に形成されているので、例えば射出成形により、突起部をカップ本体と共に一度に形成することができる。従って、カップ本体及び突起部を短時間で容易にかつ低コストで生産することができる。
【発明を実施するための最良の形態】
【００２８】
（第１の実施の形態）
本発明を実施するための最良の形態としての第１の実施の形態について図面を参照しながら説明する。
【００２９】
この第１の実施の形態で示す吸引カップ１は、図１〜図４に示すように、カップ本体２と、継手３とを備えた構成になっている。
【００３０】
カップ本体２は、ゴム弾性を有する材料であるシリコーン樹脂により、円環状の開口部２ａから漸次内側に球面状に湾曲するアーチ状の曲面壁を有するように形成されている。即ち、カップ本体２は、中空の球をほぼ直径位置で半分に切断することによって、半球状の殻状に形成されたものであり、その切断部が開口部２ａになっている。また、カップ本体には、その半球の中央部に、外方に膨出する肉厚部２ｂが形成されている。
【００３１】
開口部２ａは、図1に示すように、断面が円弧状にまるく盛り上がるように形成されており、皮膚に対してやわらかい感触を与えると共に、低い面圧で皮膚に接触するようになっている。
【００３２】
肉厚部２ｂには、図２及び図３に示すように、開口部２ａと同軸状に継手挿入孔２ｃが形成されている。継手挿入孔２ｃは、継手３を挿入するようになっており、軸方向の中間位置に、カップ本体２の外方を向くように形成された座面２ｄを有している。また、継手挿入孔２ｃは、座面２ｄを境にして内方側が断面円形状の内方挿入孔２ｅ、外方側が断面円形状の外方挿入孔２ｆとなっている。内方挿入孔２ｅは、後述する内方管部３ｂと嵌合する径に形成され、外方挿入孔２ｆは、後述する鍔部３ａ及び吸引ホース４と嵌合する径に形成されている。
【００３３】
継手３は、断面円形状のプラスチック製のパイプによって形成されたものであり、カップ本体２内と吸引ホース４内とを連通するようになっている。この継手３には、図４に示すように、その軸方向の中間位置に、円板状に拡径された鍔部３ａを有している。鍔部３ａは、継手３を継手挿入孔２ｃにカップ本体２の外方から挿入した際に、一方の面が座面２ｄに当たるように形成されている。また、継手３は、鍔部３ａを挟んで一方が断面円形状の内方管部３ｂ、他方が断面円形状の外方管部３ｃになっている。内方管部３ｂの外周面の径は、継手挿入孔２ｃにおける内方挿入孔２ｅの径よりやや大きく設定されている。即ち、内方管部３ｂと内方挿入孔２ｅとは、締まり嵌めの精度で嵌合するように形成されている。また、外方管部３ｃは、吸引ホース４の内径に対して締まり嵌めの精度で嵌合するように形成されている。なお、外方挿入孔２ｆは、鍔部３ａ及び吸引ホース４の外周面が円滑に挿入可能な径に形成されている。また、内方管部３ｂの先端外周部、鍔部３ａの先端外周部及び外方管部３ｃの基端外周部のそれぞれには、斜めに傾斜するＣ面取３ｄ、３ｅ、３ｆが形成されている。
【００３４】
吸引ホース４は、図示しない吸引装置（真空ポンプ）につなげられており、継手３及び継手挿入孔２ｃを介してカップ本体２内の空気を吸引するようになっている。また、吸引ホース４は、真空引きに際して、大気圧によって押し潰されないような剛性及び強度を有している。
【００３５】
上述した吸引装置は、カップ本体２内の空気を吸引して、カップ本体２内を負圧に導くようになっており、一定の負圧状態に維持したり、負圧を種々変動させたりすることが可能になっている。また、吸引装置は、長時間の吸引による皮膚や筋肉の疲労等を防止すべく一定の時間経過後に吸引を自動的に停止してカップ本体２内を大気圧に戻すための安全装置が設けられている。
【００３６】
また、カップ本体２は、内部が負圧に導かれた際に、大気圧によって押し潰されない程度の剛性及び強度を有するように、その厚さが設定されている。ただし、カップ本体２がアーチ状に構成されており、外圧に対して強い構造になっていることから、より薄いもので構成することが可能になっている。なお、カップ本体２は、肉厚部２ｂ及び開口部２ａを除く部分がほぼ一定の厚さに形成されている。
【００３７】
上記のように構成された吸引カップ１においては、カップ本体２がゴム弾性を有する材料で形成されているので、当該カップ本体２の開口部２ａが皮膚の表面に沿うように容易に変形することができる。しかも、開口部２ａが皮膚に沿うように弾性的に変形することになるので、アキレス腱や肘等を有する部分の皮膚を吸引する場合でも、痛みを感じることがないという利点がある。
【００３８】
また、カップ本体２がシリコーン樹脂によって構成されているので、カップ本体２を皮膚に接触させた場合でも、冷やりとした不快感を感じることがない。従って、カップ本体２を体温程度まで保温するための装置及び手間を省くことができる。しかも、シリコーン樹脂を用いていることから、人体に対しても極めて安全であるという利点がある。
【００３９】
更に、継手挿入孔２ｃに座面２ｄを設け、継手３に座面２ｄに当接する鍔部３ａを設けているので、継手３を継手挿入孔２ｃに挿入するだけで、継手３を継手挿入孔２ｃの所定の位置に取り付けることができる。しかも、カップ本体２がゴム弾性を有する材料で形成されているので、継手挿入孔２ｃの内方挿入孔２ｅの径を継手３の内方管部３ｂの外径より小さく設定しても、継手３を継手挿入孔２ｃに人力で容易に挿入することができる。そして、この場合、内方管部３ｂが内方挿入孔２ｅに圧入された状態になるので、継手３を継手挿入孔２ｃに挿入するだけで、当該継手３を継手挿入孔２ｃから脱落するのを防止することができる。なお、内方管部３ｂ及び鍔部３ａの先端側の角部にＣ面取３ｄ、３ｅが形成されていることから、継手３を継手挿入孔２ｃにより挿入しやすくなる。
【００４０】
また、内方管部３ｂと内方挿入孔２ｅとが圧入状態で密着しているので、鍔部３ａと継手挿入孔２ｃとの間の空気の漏れを防止する上で効果がある。しかも、継手挿入孔２ｃにはカップ本体２の外方を向くように座面２ｄが形成され、継手３には座面２ｄに当接する鍔部３ａが形成されているので、カップ本体２の負圧によって、鍔部３ａを座面２ｄに、より強く密着させることができる。従って、継手３と継手挿入孔２ｃとの境界部からカップ本体２内に空気が流入するのを確実に防止することができる。
【００４１】
｛発明を実施するための異なる形態｝
次に、本発明を実施するための異なる形態としての第２〜第４の実施の形態について図５〜図１１を参照しながら説明する。
【００４２】
（第２の実施の形態）
第２の実施の形態について図５〜図７を参照しながら説明する。但し、第１の実施の形態で示した構成要素と共通する要素には同一の符号を付し、その説明を簡略化する。
【００４３】
この第２の実施の形態が第１の実施の形態と異なる点は、内方挿入孔２ｅがテーパ孔部２ｇによって形成され、内方管部３ｂがテーパ管部３ｇによって形成されている点である。
【００４４】
即ち、テーパ孔部２ｇは、カップ本体２の内方に向かうに従って漸次縮径するテーパ面によって形成されている。一方、テーパ管部３ｇは、外周面がテーパ孔部２ｇに嵌合するテーパ面によって形成されている。
【００４５】
上記のように構成された吸引カップ１においては、継手挿入孔２ｃには座面２ｄより内方位置にテーパ孔部２ｇが形成され、継手３にはテーパ孔部２ｇに嵌合するテーパ管部３ｇが形成されているので、カップ本体２内の負圧により、継手３が継手挿入孔２ｃの内方に少でも移動すると、テーパ面同士の楔作用により、テーパ孔部２ｇとテーパ管部３ｇとが強力に密着することになる。従って、継手３と継手挿入孔２ｃとの間から負圧状態にあるカップ本体２内に空気が流入するのを確実に防止することができる。
【００４６】
（第３の実施の形態）
第３の実施の形態について図８及び図９を参照しながら説明する。但し、第１の実施の形態で示した構成要素と共通する要素には同一の符号を付し、その説明を簡略化する。
【００４７】
この第３の実施の形態が第１の実施の形態と異なる点は、カップ本体２の内側に突起部５が設けられている点である。
【００４８】
即ち、カップ本体２内には、当該カップ本体２における軸心部の内面から開口部２ａの中心部に向かって突出する突起部５が設けられている。突起部５は、シリコーン樹脂（ゴム弾性を有する材料）で一体に形成されたものであり、カップ本体２の内面と一致するように形成された基端面５ａと、この基端面５ａから先端に向かって漸次縮径するように形成された円錐状の側面５ｂと、この側面５ｂの先端部に凸球面状に形成された先端面５ｃとによって外周面が形成されている。また、この突起部５は、挿入孔５ｄ及び吸引孔５ｅを有している。
【００４９】
挿入孔５ｄは、基端面５ａの中心部から突起部５の軸心に沿って所定の深さに形成されている。この挿入孔５ｄは、継手３における内方管部３ｂの先端部に締まり嵌めの精度で嵌合するように形成されている。即ち、挿入孔５ｄは、内方管部３ｂの先端部と嵌合することによって、突起部５をカップ本体２に連結するようになっている。ただし、突起部５がゴム弾性を有することから、通常の人力で挿入孔５ｄ内に内方管部３ｂを挿入することが可能である。なお、継手３の内方管部３ｂは、継手挿入孔２ｃからカップ本体２の内方に突出すべく第１の実施の形態で示したものに比べて長く形成されている。
【００５０】
吸引孔５ｅは、突起部５の先端部における皮膚の当たる部分よりカップ本体２の内方に位置する側面（外周面）５ｂに開口すると共に、突起部５の軸心に直交する方向に直線状に延在し、かつ挿入孔５ｄに連通するように形成されている。吸引孔５ｅには、図９に示すように、その全長にわたってプラスチック製の保護管５ｆが嵌合されている。保護管５ｆには、挿入孔５ｄに対応する位置に当該挿入孔５ｄとの連通を図る孔が形成されている。
【００５１】
また、突起部５は、内方管部３ｂを介してカップ本体２に取り付けられた状態において、その先端がカップ本体２の開口部２ａを平面状に覆うような仮想面に対して内側の位置、あるいは当該仮想面とほぼ同一の位置、あるいは当該仮想面から突出する位置となるような大きさのものが準備されている。
【００５２】
上記のように構成された吸引カップ1においては、カップ本体２から開口部２ａの中心部に向かって突出する突起部５が設けられているので、カップ本体２を皮膚の所定の位置に取り付ける際に、突起部５の先端部を体のつぼの位置に容易に合わせることができる。そして、カップ本体２内を負圧に導いた場合には、カップ本体２が皮膚側に弾性変形し、突起部５の先端部が皮膚内に押し込まれることになるので、つぼを効果的に刺激することができ、極めて高い指圧効果を得ることができる。この場合、突起部５としては、その先端がカップ本体２の開口部２ａを平面状に覆う仮想面に対して内側の位置、あるいは当該仮想面とほぼ同一の位置、あるいは当該仮想面から突出する位置となるものの中から指圧に効果のあるものを、皮膚の表面の起伏に応じて、選択することができる。なお、突起部５の先端が上記仮想面から突出する場合や、皮膚の凹凸の状態によって、突起部５の先端が開口部２ａより先に皮膚に当たる場合があるが、この場合でも、カップ本体２や皮膚が弾性変形することから、カップ本体２の開口部２ａを皮膚に密着させて、カップ本体２内を負圧に導くことができる。
【００５３】
また、突起部５が挿入孔５ｄを継手３の先端部に嵌合することにより、カップ本体２に取り付けることができるようになっているので、突起部５を容易に着脱することができる。
しかも、突起部５をカップ本体２と別体のもので構成しているので、カップ本体２とは硬度の異なるものを種々用意し、指圧に適した材質の突起部５を選択することができるという利点がある。更に、吸引孔５ｅが突起部５における皮膚の当たる部分よりカップ本体２の内方の側面５ｂに開口しているので、突起部５の先端部が皮膚に密着しても、カップ本体２内の空気を十分に吸引することができる。
【００５４】
なお、上記第３の実施の形態においては、突起部５をカップ本体２と別体のもので構成したが、図１０に示すように、これらの突起部５とカップ本体２とは、上述したカップ本体２を構成するシリコーン樹脂で一体に形成してもよい。なお、連結孔５ｄは、突起部５内に延在する内方挿入孔２ｅによって形成されている。
【００５５】
このように突起部５をカップ本体２と一体に形成した場合には、例えば射出成形により、カップ本体２及び突起部５を一度に形成することができる利点がある。従って、突起部５を有するカップ本体２を短時間で容易にかつ低コストで生産することができる。
【００５６】
（第４の実施の形態）
第４の実施の形態について図１１を参照しながら説明する。但し、第３の実施の形態で示した構成要素と共通する要素には同一の符号を付し、その説明を簡略化する。
【００５７】
この第４の実施の形態が第３の実施の形態と異なる点は、カップ本体２の肉厚が開口部２ａに向けて薄く形成されている点及び補強リブ２ｈを設けている点である。
【００５８】
即ち、カップ本体２は、肉厚が頂部側から開口部２ａに向かって漸次薄くなるように形成されている。なお、突起部５の基端面５ａ及びこの基端面５ａが当たるカップ本体２の内面部分は、平面状に形成されている。また、カップ本体２には、当該カップ本体２の内面に沿って、頂部側の所定の位置から開口部２ａに至るように延在する補強リブ２ｈが周方向に一定の間隔をおいて複数形成されている。各補強リブ２ｈは、カップ本体の厚さ方向及び周方向の寸法が開口部２ａに向かって漸次大きくなるように形成されている。また、補強リブ２ｈは、その断面がカップ本体２の内面から円弧状に盛り上がるように形成されている。
【００５９】
上記のように構成された吸引カップ１においては、カップ本体２の肉厚が開口部２ａに向かって漸次薄くなるように形成されているので、当該カップ本体２の開口部２ａが皮膚の形状の通りにより変形しやすくなる。従って、より大きな起伏の皮膚の部分に対してもカップ本体２の開口部２ａを密着させることができると共に、骨等を有する部分の皮膚の痛みをより効果的に防止することができる。
【００６０】
また、カップ本体２に沿って、その頂部側の所定の位置から開口部２ａに至るように延在する補強リブ２ｈが周方向に一定の間隔をおいて形成されているので、大気圧に対するカップ本体２の強度の向上を図ることができる。しかも、補強リブにおけるカップ本体２の厚さ方向及び周方向の寸法が開口部２ａに向かって漸次大きくなるように形成されているので、徐々に薄肉化されている開口部２ａ側の強度の向上を図る上で効果がある。
【００６１】
また、皮膚側から開口部２ａを介してカップ本体２に作用する力は補強リブ２ｈを長手方向に圧縮する方向の力として作用することになるが、この補強リブ２ｈはカップ本体２の内面に沿って円弧状に湾曲しているので、上記圧縮方向の力によって容易に座屈することになる。従って、カップ本体２の開口部２ａを皮膚の表面に密着させる上で、補強リブ２ｈが障害となることがない。
【００６２】
なお、上記第４の実施の形態においては、補強リブ２ｈをカップ本体２の内面に沿うように形成した例を示したが、当該補強リブ２ｈは、カップ本体２の外面に沿うように形成してもよい。
【図面の簡単な説明】
【００６３】
【図１】本発明の第１の実施の形態として示した吸引カップの断面図である。
【図２】同吸引カップの平面図である。
【図３】同吸引カップにおけるカップ本体を示す断面図である。
【図４】同吸引カップにおける継手を示す正面図である。
【図５】本発明の第２の実施の形態として示した吸引カップの断面図である。
【図６】同吸引カップにおけるカップ本体を示す断面図である。
【図７】同吸引カップにおける継手を示す正面図である。
【図８】本発明の第３の実施の形態として示した吸引カップの断面図である。
【図９】同吸引カップにおける突起部を示す断面図である。
【図１０】上記第３の実施の形態の他の例として示した吸引カップの断面図である。
【図１１】本発明の第４の実施の形態として示した吸引カップの断面図である。
【符号の説明】
【００６４】
１  吸引カップ                                  ２  カップ本体
２ａ  開口部                                    ２ｃ  継手挿入孔
２ｄ  座面                                      ２ｇ  テーパ孔部
２ｈ  補強リブ                                    ３  継手
３ａ  鍔部                                      ３ｇ  テーパ管部
４  吸引ホース                                  ５  突起部
５ｂ  側面（外周面）                            ５ｄ  連結孔
５ｅ  吸引孔
【図１】
2008022914.tif 000003
【図２】
2008022914.tif 000004
【図３】
2008022914.tif 000005
【図４】
2008022914.tif 000006
【図５】
2008022914.tif 000007
【図６】
2008022914.tif 000008
【図７】
2008022914.tif 000009
【図８】
2008022914.tif 000010
【図９】
2008022914.tif 000011
【図１０】
2008022914.tif 000012
【図１１】
2008022914.tif 000013